(57)【要約】  空気流アセンブリであって、プレナム、バレル、ファン支持部、ファンアセンブリ、および複数のリブを含む。プレナムはプレナム開口部を画定する開口構造を含む。バレルは開口構造から下流方向に延び、バレル空間および下流エッジを画定する。ファン支持部は少なくとも部分的にバレル空間内に位置決めされる。ファンアセンブリはファン支持部により支持され、（ｉ）モーター、および（ｉｉ）軸を中心に回転するように構成されるブレードアセンブリ、を含む。リブの各々は、（ｉ）開口構造またはバレルと、（ｉｉ）ファン支持部と、の間を延びる。下流方向は軸に平行である。上流方向は下流方向の反対側で軸に平行である。平面が軸に交差し且つ軸に垂直である。【選択図】図１７
2014515457.tif 000002
【特許請求の範囲】
【請求項１】
空気流アセンブリであって、
プレナム開口部を画定する開口構造を含むプレナムと、
前記開口構造から下流方向に延び、バレル空間および下流エッジを画定するバレルと、
前記バレル空間内に少なくとも部分的に位置決めされるファン支持部と、
前記ファン支持部により支持され、モーターおよび軸を中心に回転するように構成されるブレードアセンブリを含むファンアセンブリと、
複数のリブと、を有し、前記リブの各々は、（ｉ）前記開口構造または前記バレルと、（ｉｉ）前記ファン支持部と、の間で延び、
前記下流方向は前記軸に平行であり、
上流方向は前記下流方向の反対側で且つ前記軸に平行であり、
平面が前記軸に交差し且つ前記軸に垂直であり、
前記下流方向のエッジは、可変軸方向延長部であり、前記バレルは第１エッジ部を画定する第１延長部および第２エッジ部を画定する第２延長部を含み、
前記第１エッジ部は、前記平面から前記下流方向に離間され、
前記第２エッジ部は、前記平面から前記上流方向に離間され、
前記複数のリブの各リブは、（ｉ）第１方位長さを画定し、（ｉｉ）前記開口構造または前記バレルから前記バレルの対応する交差領域に延び、
前記交差領域の各々は第２方位長さを画定し、
Ｙが前記第１方位長さに等しく、
Ｘが前記第２方位長さに等しく、
ここでＹ≦Ｘ≦２．５Ｙであり、
前記第１延長部は、第１交差領域と第２交差領域との間を延び、
前記第２延長部は、前記第２交差領域と第３交差領域との間を延び、
前記空気流アセンブリは、フード下の部品に関連付けられるように構成され、
前記第１延長部および前記第２延長部の少なくとも一方は、（ｉ）前記フード下の部品の取付構造または案内構造として機能せず、および／または（ｉｉ）前記プレナムと前記バレルとの間を延びる補強リブのエッジを収容しない、
空気流アセンブリ。
【請求項２】
請求項１に記載の空気流アセンブリであって、
前記ブレードアセンブリは複数のファンブレードを含み、
各ファンブレードは、先端長さを画定する端部エッジを含み、
前記先端長さはＴに等しく、
前記第１延長部および前記第２延長部は第３方位長さを画定し、
前記第３方位長さはＺに等しく、
ここで０．２５Ｔ≦Ｚ≦６．０Ｔである、
空気流アセンブリ。
【請求項３】
請求項２に記載の空気流アセンブリであって、
前記第２エッジ部は前記第１エッジ部から前記下流方向に平行に測定した距離だけ離間され、
前記ブレードアセンブリは円筒形を画定するような運動経路で回転し、
前記円筒形は直径を画定し、
βが前記距離と前記直径との比であり、
ここで０．０１５＜β＜０．３００である、
空気流アセンブリ。
【請求項４】
空気流アセンブリであって、
プレナム開口部を画定する開口構造を含むプレナムと、
前記開口構造から延び且つシュラウド空間を画定するシュラウドと、
前記シュラウド空間内に少なくとも部分的に位置決めされるファン支持部と、
前記ファン支持部により支持されるファンアセンブリと、
複数のリブと、を有し、前記リブお各々は、前記リブの対応する１つと前記ファン支持部との間を延び、
前記空気流アセンブリはさらに、前記シュラウドから延びる少なくとも１つの音響部材を含み、前記音響部材は、（ｉ）対応する円周方向に隣接する前記リブ支持部のペアの間に挟まれ、（ｉｉ）前記対応する円周方向に隣接する前記リブ支持部のペアから離間される、空気流アセンブリ。
【請求項５】
請求項４に記載の空気流アセンブリであって、
前記複数のリブ支持部は、第１リブ支持部および第２リブ支持部を含み、これらは互いに離間され、
前記音響部材は、前記第１リブ支持部と前記第２リブ支持部との間に挟まれ、
前記第１リブ支持部および前記第２リブ支持部の各々は、前記シュラウドから第１距離だけ延び、
前記音響部材は前記シュラウドから第２距離だけ延び、
前記第１距離は前記第２距離よりも小さい、
空気流アセンブリ。
【請求項６】
請求項４に記載の空気流アセンブリであって、前記音響部材は第１音響部材であり、さらに、
前記シュラウドから延びる第２音響部材を含み、前記第２音響部材は、（ｉ）対応する円周方向に隣接する前記リブ支持部のペアの間に円周方向に挟まれ、（ｉｉ）前記対応する円周方向に隣接する前記リブ支持部のペアから離間される、
空気流アセンブリ。
【請求項７】
請求項６に記載の空気流アセンブリであって、前記第１音響部材は、前記第２音響部材から離間されてそれらの間にギャップ空間を画定する、空気流アセンブリ。
【請求項８】
請求項６に記載の空気流アセンブリであって、
前記第１音響部材は前記シュラウドから第１距離だけ延び、
前記第２音響部材は前記シュラウドから第２距離だけ延び、
前記第１距離は前記第２距離よりも大きく、
前記複数のリブ支持部は第１リブ支持部を含み、
前記第１リブ支持部は前記シュラウドから第３距離だけ延び、
前記第１距離は前記第３距離より大きく、
前記第２距離は前記第３距離より小さい、
空気流アセンブリ。
【請求項９】
請求項６に記載の空気流アセンブリであって、
前記第１音響部材は第１矩形部材を画定するように構成され、
前記第２音響部材は第２矩形部材を画定するように構成され、
前記第１矩形部材は前記第２矩形部材よりも大きい、
空気流アセンブリ。
【請求項１０】
請求項６に記載の空気流アセンブリであって、
前記第１音響部材は第１三角形部材を画定するように構成され、
前記第２音響部材は第２三角形部材を画定するように構成され、
前記第１三角形部材は前記第２三角形部材よりも大きい、
空気流アセンブリ。
【請求項１１】
請求項４に記載の空気流アセンブリであって、
前記複数のリブは第１リブを含み、
前記第１リブは円周方向幅を画定し、
前記音響部材は前記第１リブからギャップ空間だけ離間され、
前記ギャップ空間は、前記円周方向幅にほぼ等しい、
空気流アセンブリ。
【請求項１２】
請求項４に記載の空気流アセンブリであって、前記音響部材は第１音響部材を含み、
前記空気流アセンブリはさらに、前記シュラウドから延びる第２音響部材を含み、前記第２音響部材は、（ｉ）前記対応する円周方向に隣接する前記リブ支持部のペアの間に円周方向に挟まれ、（ｉｉ）前記対応する円周方向に隣接する前記リブ支持部のペアの各々から離間され、
前記空気流アセンブリはさらに、前記シュラウドから延びる第３音響部材を含み、前記第３音響部材は、（ｉ）前記対応する円周方向に隣接する前記リブ支持部のペアの間に挟まれ、（ｉｉ）前記対応する円周方向に隣接する前記リブ支持部のペアの各々から離間され、
前記第２音響部材は、前記第１音響部材から離間され、それらの間に第１ギャップ空間を画定し、
前記第２音響部材は、前記第３音響部材から離間され、それらの間に第２ギャップ空間を画定する、
空気流アセンブリ。
【請求項１３】
空気流アセンブリであって、
プレナム開口部を画定する開口構造を含むプレナムと、
前記開口構造から延びシュラウド空間を画定するシュラウドと、
前記シュラウド空間内に少なくとも部分的に位置決めされるファン支持部と、
前記ファン支持部により支持され、軸を中心に回転するように構成されるブレードアセンブリを含むファンアセンブリと、
前記シュラウドから延びる複数のリブ支持部と、
複数のリブと、を含み、前記リブの各々は前記リブ支持部の対応する１つと前記ファン支持部との間を延び、
前記空気流アセンブリはさらに、前記シュラウドから延びる少なくとも１つの音響部材を含み、
平面が前記軸に交差し且つ前記軸に垂直であり、
前記リブ支持部の各々は、前記平面内に位置決めされる第１エッジを含み、
前記音響部材は第２エッジを含み、
前記第２エッジの少なくとも一部は、前記平面から離間される、
空気流アセンブリ。
【請求項１４】
請求項１３に記載の空気流アセンブリであって、前記音響部材は第１音響部材を含み、
さらに、前記シュラウドから延びる第２音響部材を含む、空気流アセンブリ。
【請求項１５】
請求項１４に記載の空気流アセンブリであって、前記第１音響部材は前記第２音響部材から離間され、それらの間にギャップを画定する、空気流アセンブリ。
【請求項１６】
請求項１４に記載の空気流アセンブリであって、
前記第１音響部材は、前記シュラウドから第１距離だけ延び、
前記第２音響部材は、前記シュラウドから第２距離だけ延び、
前記第１距離は前記第２距離よりも大きい、
空気流アセンブリ。
【請求項１７】
請求項１４に記載の空気流アセンブリであって、
前記複数のリブ支持部は第１リブ支持部を含み、
前記第１リブ支持部は前記シュラウドから第３距離だけ延び、
前記第１距離は前記第３距離よりも大きく、
前記第２距離は前記第３距離よりも小さい、
空気流アセンブリ。
【請求項１８】
請求項１４に記載の空気流アセンブリであって、
前記第１音響部材は、第１三角形部材を画定するように構成され、
前記第２音響部材は、第２三角形部材を画定するように構成され、
前記第１三角形部材は前記第２三角形部材よりも大きい、
空気流アセンブリ。
【発明の詳細な説明】
【技術分野】
【０００１】
本願は、２０１１年５月２５日に出願された米国仮出願第６１／４８９９６４号の利益を主張し、この仮出願の開示は参照により全体が本願に組み込まれる。
[0001]本願は、一般的には自動車のエンジンの冷却システムとともに使用される空気流アセンブリの分野に関し、より具体的には改良された音響性能を備える空気流アセンブリに関する。
【背景技術】
【０００２】
[0002]内燃エンジンにより動力供給される自動車は、典型的には、エンジンを動作温度に維持する液体冷却システムを含む。冷却システムは、典型的には、液体冷却剤、熱交換器、および空気流アセンブリを含む。ポンプは、エンジンおよび典型的にはラジエータと称される熱交換器に冷却剤を循環させる。冷却剤は、エンジンから熱エネルギーを取り除く。冷却剤がラジエータを通って流れるときに、冷却剤により除かれた熱エネルギーは空気中へ放出され、それにより冷却剤がエンジンからさらなる熱エネルギーを取り除くための準備をする。冷却剤の熱エネルギーの放出を補助するために、典型的には、ラジエータは多くのチャネルを画定する多数のフィンを含む。車両が運転されると、大気からの周囲温度の空気がチャネルを通るように導かれ熱エネルギーを放出させる。
【発明の概要】
【発明が解決しようとする課題】
【０００３】
[0003]空気流アセンブリは、シュラウドおよびファンのアセンブリを含む。典型的には、シュラウドは、大気中の周囲温度の空気がラジエータの側部の周りを流れるようにする代わりに、ラジエータにより画定されるチャネルを通って流れるように位置決めされる。ファンアセンブリは、典型的にはシュラウドに接続される。ファンアセンブリを動作させると、車両が静止している時でもファンはラジエータのチャネルを通る空気の移動を補助する。しかし、ファンアセンブリの動作は、典型的には、空気流アセンブリにユーザーに好まれないノイズを発生させる原因となる。
【０００４】
[0004]したがって、空気流アセンブリにより発生するノイズが多くのユーザーに許容されるように空気流アセンブリを改良することが望まれる。
【課題を解決するための手段】
【０００５】
[0005]本開示の一実施形態によれば、空気流アセンブリは、プレナム、バレル、ファン支持部、および複数のリブを含む。プレナムは、プレナム開口部を画定する開口構造を含む。バレルは、開口構造から下流方向に延び、バレル空間および下流エッジを画定する。ファン支持部は、少なくとも部分的にバレル空間内に位置決めされる。ファンアセンブリはファン支持部により支持され、また、（ｉ）モーター、および（ｉｉ）軸を中心に回転するように構成されるブレードアセンブリを含む。リブの各々は、（ｉ）開口構造またはバレルと、（ｉｉ）ファン支持部と、の間で延びる。下流方向は軸に平行である。上流方向は下流方向の反対であり、軸に平行である。平面は軸に交差し、また、軸に垂直である。下流エッジは可変軸延長部であり、バレルは、第１エッジ部分を画定する第１延長部分と第２エッジ部分を画定する第２可変部分とを含む。第１エッジ部分は、下流方向に平面から離間する。第２エッジ部分は、上流方向に平面から離間する。複数のリブの各リブは、（ｉ）第１方位長さを含み、（ｉｉ）開口構造またはバレルから、バレルの対応する交差領域に延びる。各交差領域は第２方位長さを画定する。Ｙは第１方位長さに等しく、Ｘは第２方位長さに等しく、また、Ｙ≦Ｘ≦２．５Ｙである。第１延長部分は、第１交差領域と第２交差領域との間で延びる。第２延長部分は、第２交差領域と第３交差領域との間で延びる。空気流アセンブリは、フード下の部品を備える車両に関連付けられるように構成される。第１延長部分および第２延長部分の少なくとも一方は、（ｉ）フード下の部品のための取り付け構造または案内構造として機能せず、または、（ｉｉ）プレナムとバレルとの間を延びる補強リブのエッジを収容しない。
【０００６】
[0006]本開示の他の実施形態によれば、空気流アセンブリは、プレナム、シュラウド、ファン支持部、ファンアセンブリ、複数のリブ支持部、複数のリブ、および少なくとも１つの音響部材を含む。プレナムはプレナム開口部を画定する開口構造を含む。シュラウドは開口構造から延びシュラウド空間を画定する。ファン支持部は、少なくとも部分的にシュラウド空間内に位置決めされる。ファンアセンブリはファン支持部により支持される。複数のリブ支持部はシュラウドから延びる。リブの各々は、対応する１つのリブ支持部とファン支持部との間で延びる。少なくとも１つの音響部材はシュラウドから延び、また、（ｉ）対応する周方向に隣接するリブ支持部のペアの間に周方向に挿入され、また、（ｉｉ）対応する周方向に隣接するリブ支持部のペアの各々から離間される。
【０００７】
[0007]本開示の他の実施形態によれば、空気流アセンブリは、プレナム、シュラウド、ファン支持部、ファンアセンブリ、複数のリブ支持部、複数のリブ、および少なくとも１つの音響部材を含む。プレナムはプレナム開口部を画定する開口構造を含む。シュラウドは開口構造から延び、シュラウド空間を画定する。ファン支持部は、少なくとも部分的にシュラウド空間内に位置決めされる。ファンアセンブリはファン支持部により支持され、軸を中心に回転するように構成されるブレードアセンブリを含む。複数のリブ支持部はシュラウドから延びる。リブの各々は、対応するリブ支持部の１つとファン支持部との間で延びる。少なくとも１つの音響部材はシュラウドから延びる。平面は軸と交差し、また、軸に垂直である。リブ支持部の各々は、平面内に位置決めされる第１エッジを含む。音響部材は第２エッジを含む。第２エッジの少なくとも一部は平面から離間される。
【０００８】
[0008]上述の特徴および利点、その他は、添付図面とともに以下の詳細な説明を参照することで当業者により容易に理解されるであろう。添付図面は以下の通りである。
【図面の簡単な説明】
【０００９】
【図１】空気流アセンブリ下流側の斜視図である。
【図２】図１の空気流アセンブリの一部の側面図であり、空気流アセンブリのバレルを「巻かれていない」向きで示し、バレルが平面内に位置する様子を示す図である。
【図３】図１の空気流アセンブリの上流側の平面図である。
【図４】空気流の他の実施形態の下流側を示す斜視図であり、空気流アセンブリのプレナムの上流側に位置決めされるブレードアセンブリを含む図である。
【図５】図４の空気流アセンブリの上流側の平面図である。
【図６】図４の空気流アセンブリの一部の側面図であり、空気流アセンブリの音響部材および全体として円筒形のシュラウドから延びるリブ支持部を示し、シュラウド、音響部材、およびリブ支持部を「巻かれてない」向きで示し、シュラウド、リブ支持部、および音響部材が共通平面内に位置する様子を示す図である。
【図７】図６に類似する向きで他の実施形態の音響部材を示す側面図である。
【図８】図６に類似する向きで他の実施形態の音響部材を示す側面図である。
【図９】図６に類似する向きで他の実施形態の音響部材を示す側面図である。
【図１０】図６に類似する向きで他の実施形態の音響部材を示す側面図である。
【図１１】図６に類似する向きで他の実施形態の音響部材を示す側面図である。
【図１２】図６に類似する向きで他の実施形態の音響部材およびリブ支持部を示す側面図である。
【図１３】図６に類似する向きで他の実施形態の音響部材およびリブ支持部を示す側面図である。
【図１４】図６に類似する向きで他の実施形態の音響部材およびリブ支持部を示す側面図である。
【図１５】図６に類似する向きで他の実施形態の音響部材およびリブ支持部を示す側面図である。
【図１６】図６に類似する向きで他の実施形態の音響部材およびリブ支持部を示す側面図である。
【図１７】空気流アセンブリの他の実施形態の下流側の斜視図であり、空気流アセンブリのプレナムの下流側に位置決めされたブレードアセンブリを含む図である。
【発明を実施するための形態】
【００１０】
[0026]本開示の原理の理解を促進するために、以下において、図面に示された実施形態が参照され、以下で説明される。本開示の範囲を限定することは意図されていないことを理解されたい。本開示は、本開示が関連する当業者に通常に生じるであろう図示の実施形態のあらゆる変更および修正を含み、また、本開示の原理のさらなる応用を含むことを理解されたい。
【００１１】
[0027]図１に示されるように、空気流アセンブリ１０は、プレナム１２、バレル１４、リブ１６、ファン支持部１８、およびファンアセンブリ２０を含む。プレナム１２は、空気ガイド構造２２および開口構造２４を含む。空気ガイド構造２２は全体として矩形である。プレナム１２は、典型的には熱交換器（図示せず）の近くに位置決めされ、空気ガイド構造２２が空気流を熱交換器に向けられるようにする。開口構造２４は、概ね円形構造であり、プレナム開口部２６を画定する。開口構造２４およびプレナム開口部２６は軸２８を中心に中心決めされる。
【００１２】
[0028]バレル１４は、開口構造２４から軸２８に平行な下流方向３０に延びる。バレル１４は概ね円筒形であり、軸２８を中心として中心決めされる。バレル１４は、可変軸延長部の下流エッジ３２を画定する。バレル１４はさらにバレル空間３４を画定し、バレル空間３４はバレル１４により境界付けられる概ね円筒形であり、軸２８に沿って延びる。本明細書で定義されるように、下流方向３０は軸２８に平行であり、上流方向３６は下流方向の反対であり、同様に軸２８に平行である。
【００１３】
[0029]リブ１６は、バレル１４から軸２８に向かって概ね半径方向内側に延びる。リブ１６はファン支持部１８に接続される。リブ１６は、ファン支持部１８を少なくとも部分的にバレル空間３４内に位置決めする。代替実施形態において、リブ１６は、開口構造２４から概ね半径方向内側に延びる。他の代替実施形態において、少なくとも１つのリブ１６はバレル１４から半径方向内側に延び、また、少なくとも１つの他のリブは開口構造２４から半径方向内側に延びる。
【００１４】
[0030]図２に示されるように、リブ１６ａ、１６ｂ、１６ｃ（破線で示される）は、バレル１４からバレルの交差領域３８ａ、３８ｂ、３８ｃに延びる。交差領域３８により画定される方位長さ４０（「Ｘ」として示される）は、リブ１６により画定される方位長さ４２（「Ｙ」として示される）に基づくものとすることができる。具体的には、交差領域３８の方位長さ４０（図２において直線長さとして示される）は、リブ１６の方位長さ４２（図２において直線長さとして示される）よりも大きいまたは等しくすることができ、また、リブ１６の方位長さ４２の２．５倍より小さいまたは等しくすることができる。図１−３に示される実施形態において、交差領域３８の方位長さ４０は、リブ１６の方位長さの約２．０倍である。
【００１５】
[0031]図１を参照すると、ファン支持部１８は少なくとも部分的にバレル空間３４内に位置決めされる。ファン支持部１８は、空気流アセンブリ１０への使用に好適な任意のタイプのファンアセンブリ２０を支持する。ファン支持部１８は、少なくとも部分的にバレル空間３４内にファンアセンブリ２０を位置決めする。
【００１６】
[0032]図３に示されるように、ファンアセンブリ２０はモーター４６（図１）および軸２８を中心に回転するブレードアセンブリ４４を含む。説明される実施形態において、ブレードアセンブリ４４が軸２８を中心とする移動経路で回転するときに、直径４８を備える概ね円筒形を画定する母線となる。円筒形の円周は破線の円５０により示されている。他の実施形態において、軸２８を中心とするブレードアセンブリ４４の回転は、概ね円筒形の形状を画定しなくてもよい。
【００１７】
[0033]ブレードアセンブリ４４はハブ５２および複数のブレード５４を含む。ハブ５２は軸２８を中心に中心決めされる。ブレード５４は、ハブ５２から半径方向外側に延びる。ブレード５４の各々は先端長さ５８（「Ｔ」として示される）を画定する端部エッジ５６を含む。ブレードアセンブリ４４はモーター４６により軸２８を中心に回転する。モーターは任意のタイプのものとすることができ、限定するわけではないが、電気モーター（電子的に駆動されるモーターなど）および液圧モーターを含む。
【００１８】
[0034]プレナム１２、バレル１４、リブ１６、およびファン支持部１８は、全て射出成型される熱可塑性物から一体的に形成される。
[0035]図２を参照すると、簡単に上述したように、バレル１４の下流エッジ３２は、軸２８（図１）に対して可変軸延長部である。下流エッジ３２の可変軸延長部は、ここでは、軸２８に交差し軸２８に垂直な平面５９に関して説明される。
【００１９】
[0036]下流エッジ３２は、エッジ６１を画定する第１延長部６０、およびエッジ６３を画定する第２延長部６２を含む。第１延長部６０は、交差領域３８ａと交差領域３８ｂとの間を延び、エッジ６１は平面５９から下流方向３０に離間する。第１延長部６０は、方位長さ６４（「Ｚ」として示され図２に直線長さとして示される）を画定し、これは先端長さ５８に基づくものとすることができる。具体的には、方位長さ６４は、先端長さ５８の２５％以上とすることができ、また、先端長さ５８の６００％以下とすることができる。図示の実施形態に示されるように、方位長さ６４は、先端長さ５８の約１００％である。
【００２０】
[0037]第２延長部６２は、交差領域３８ｂと交差領域３８ｃとの間を延び、エッジ６３は平面５９から上流方向３６に離間する。第２延長部６２は方位長さ６６（図２において直線長さとして示される）を画定し、これは先端長さ５８に基づくものとすることができる。具体的には、方位長さ６６は先端長さ５８の２５％以上とすることができ、先端長さ５８の６００％以下とすることができる。図示の実施形態に示されるように、方位長さ６６は先端長さ５８の約１００％である。第１延長部６０および第２延長部６２の代替構成は、バレル１４の周りに完全に連続的なものとすることができる。
【００２１】
[0038]第２延長部６２は第１延長部６０から下流方向３０に平行に測定される距離６８だけ離間する。距離６８は、下流エッジ３２の可変軸延長部を例示する。少なくともいくつかの実施形態において、距離６８は破線の円５０により示される円筒部の直径４８に基づく。具体的には、距離６８の直径４８に対する比（「β」と記載する）は、０．０１５より大きく０．３００より小さいものとすることができる。
【００２２】
[0039]動作に関して、空気流アセンブリ１０は、典型的には自動車または他の車両（図示せず）の液体冷却システムに関連付けられる。モーター４６にエネルギーが供給されると、ブレードアセンブリ４４はプレナム１２に対して回転し、下流方向に空気流を発生させる。空気流は、冷却システムの熱交換器を通るように空気を流す。熱交換器を通って流れた後、プレナム１２は空気流をバレル１４に案内する（以下で説明される他の実施形態においてシュラウドとして言及される）。その後、ファンアセンブリ２０は、空気流をプレナム開口部２６を通って移動させ、その後、バレル１４を通す。
【００２３】
[0040]下流エッジ３２の可変軸延長部は、空気流アセンブリ１０により生成されるノイズの特性を改善し、多くのユーザーに許容できるようにする。具体的には、第１延長部６０および第２延長部６２は、プレナム開口部２６を通る空気流に影響を与え、ある周波数のノイズをキャンセルする。キャンセルされる周波数は、距離６８、延長部６０、６２方位位置および長さ、および延長部の数、他の要因および考慮事項、の関数である。距離６８を調節することで、２つの方位方向に隣接する交差する領域（３８ａ、３８ｂなど）の間に位置決めされるバレルの各部分は、空気流アセンブリ１０のノイズ特性に有利な影響を与えるように「調整」することができる。
【００２４】
[0041] 空気流アセンブリ１０が関連する車両のフード下の部品（図示せず）は、下流エッジ３２付近に位置決めされることは妨げられる。電気ワイヤハーネス、ホース等の部品を下流エッジ付近に配置すると、プレナム開口部２６を通る空気流に対する延長部６０、６２による影響が変化することがあり、空気流アセンブリ１０の音響性能に悪影響を与えることがあるからである。さらに、空気流アセンブリの音響性能の変化を防止するために、車両のフード下の部品が延長部６０、６２に取り付けられることは妨げられる。このようにして、延長部６０、６２は、フード下の部品の取り付け構造としては機能しない。さらに、延長部６０、６２は、プレナムをラジエータ端部タンク取り付け位置（図示せず）に接続する補強リブにおいて典型的にみられるプレナム１２とバレル１４との間に延びる補強リブ（図示せず）のエッジを収容しない。ここで言及される、フード下の部品は、車両のエンジン区画内に位置決めされる車両部品である。
【００２５】
[0042]図４に示されるように、他の空気流アセンブリ１００は、プレナム１０４、シュラウド１０８、リブ支持部１１２、リブ１１６、ファン支持部１２０、ファンアセンブリ１２４、および音響部材１２８を含む。プレナム１０４は、空気ガイド構造１３２および開口構造１３６を含む。空気ガイド構造１３２は概ね矩形である。プレナム１０４は、典型的には、熱交換器（図示せず）付近に位置決めされ、空気流が熱交換器を通るように空気ガイド構造１３２が空気流を導くことができるようにする。開口構造１３６はプレナム開口部４０を画定する概ね円形の構造である。開口構造１３６およびプレナム開口部１４０は軸１４４を中心として中心決めされる。
【００２６】
[0043]シュラウド１０８は開口構造１３６から軸１４４に平行な下流方向１４６に延びる。シュラウド１０８はシュラウド平面１５４（図６）内に位置決めされる下流エッジ１５２を画定し、シュラウド平面１５４は軸１４４に交差し、またこれに垂直である。シュラウド１０８はさらにシュラウド空間１５６を画定し、シュラウド空間はシュラウドにより境界付けられる円筒形の空間であり軸１４４に沿って延びる。
【００２７】
[0044]リブ支持部１１２はシュラウド１０８のエッジ１５２から下流方向１４６に延びる。空気流アセンブリ１００は複数のリブ支持部１１２を含む。図４の実施形態において、ファンアセンブリ１００は、１２個のリブ支持部１１２を含み（図４においては全てに符号が付されているわけではない）、これらは互いに離間されている。ファンアセンブリの他の実施形態は、異なる数のリブ支持部１１２を含むことができることに注意されたい。リブ支持部１１２は、シュラウド１０８の周りに円周方向に配置される。
【００２８】
[0045]図４の実施形態において、リブ支持部１１２は概ね台形形状である。リブ支持部１１２の各々は平面１６４（図６）内に位置決めされる下流エッジ１５８（図６）を画定する。平面１６４は軸１４４に交差し、またこれに垂直である。ファンアセンブリ１２４の他の実施形態は、正方形、矩形または他の任意の形状等の異なる形状のリブ支持部１１２を含むことができる。
【００２９】
[0046]リブ１１６は、リブ支持部１１２から概ね半径方向内側に軸１４４に向かって延びる。リブ１１６はファン支持部１２０に接続され、したがって、リブはリブ支持部１１２とファン支持部１２０との間を延びる。リブ１１６は、ファン支持部１２０を少なくとも部分的にシュラウド空間１５６内に位置決めする。
【００３０】
[0047]ファン支持部１２０は少なくとも部分的にシュラウド空間１５６内に位置決めされる。ファン支持部１２０はファンアセンブリ１２４を支持し、少なくとも部分的にシュラウド空間内にファンアセンブリを位置決めする。ファン支持部１２０は、カバー１６２から延びる円筒形部材１６０を含む。円筒形部材１６０は軸１４４に平行な上流方向１６６に延びる。円筒形部材１６０は、ファンアセンブリ１２４の少なくとも一部を受け入れる。ファン支持部１２０の他の実施形態は、カバー１６２を備えないものとして設けられ、ファン支持部は上流側および下流側の両方に開放されるようにしてもよい。ファン支持部１２０の他の実施形態は、モーターの形状に依存した形状を備える（図１のモーター４６を参照）。たとえば、いくつかのモーターは、概ね矩形の外形を備え、ファン支持部はモーターを受け入れるように対応する形状とすることができる。
【００３１】
[0048]ファンアセンブリ１２４は、ブレードアセンブリ１６８および電気モーター（図１のモーター４６を参照）を含む。図４の実施形態において、ブレードアセンブリ１６８が軸１４４を中心とする運動経路で回転すると、概ね円筒形状を画定する母線になる。円筒形形状の円周は破線１６９により示されている。ブレードアセンブリ１６８により画定される円筒形形状は直径１７０を備える。
【００３２】
[0049]図５に示されるように、ブレードアセンブリ１６８は、ハブ１７２およびブレード１７４を含む。ハブ１７２は軸１４４を中心として中心決めされる。ブレード１７４はハブ１７２から半径方向外側に延びる。ブレード１７４の各々は先端長さ１７８を画定する端部エッジ１７６を含む。ブレードアセンブリ１６８はモーターにより軸１４４を中心に回転させられる。
【００３３】
[0050]図４を参照すると、空気流アセンブリ１００は複数の音響部材１２８を含む。図４の実施形態において、１２の音響部材１２８が示されている。音響部材１２８は、概ね台形形状であり（本明細書で説明されるように、音響部材は他の形状とすることもできる）、音響部材の各々は、対応する円周方向に隣接するリブ支持部１１２のペアの間に円周方向に挟まれる。すなわち、リブ支持部１１２ａ、１１２ｂは円周方向に隣接し、音響部材１２８ａ、１２８ｂは円周方向にそれらの間に挟まれる。本明細書を通して、参照数字の後の文字（たとえば１１２ａ、図４において概ね９時の位置に配置されるリブ支持部）は、複数ある要素の特定の１つを示し、これらは文字を除いた参照符号で複数の要素を集合的に示すことがある（たとえば、１１２は空気流アセンブリ１００のリブ支持部の全部を示す）。
【００３４】
[0051]図６に示されるように、シュラウド１０８に対する音響部材１２８およびリブ支持部１１２の構成を示すために、シュラウド１０８の一部は「巻かれていない」、「巻き上げられていない」、または「巻きつけられていない」向きで示されている。この向きにおいて、通常は円筒形形状のシュラウド１０８は、平面上で巻かれていないように示されている。音響部材１２８ａ、１２８ｂは互いに離間しており、円周方向に隣接するリブ支持部１１２ａ、１１２ｂから、およびそれぞれの他のリブ支持部１１２から離間している。具体的には、ギャップ空間１８４ａは、リブ支持部１１２ａを音響部材１２８ａから離間させ、ギャップ空間１８４ｂは音響部材１２８ａを音響部材１２８ｂから離間させ、ギャップ空間１８４ｃは音響部材１２８ｂをリブ支持部１１２ｂから離間させる。図６の実施形態において、ギャップ空間１８４は、リブ１１６の円周方向幅１８８にほぼ等しい（図６において破線で示される）。
【００３５】
[0052]音響部材１２８は、円周幅１９０（方位幅とも称される）を画定し、これは図６では直線の幅として示されている。円周幅１９０は、シュラウド１０８のエッジ１２８における音響部材の幅である。図６の実施形態において、各音響部材１２８は同一の円周幅１９０を備える。
【００３６】
[0053]音響部材１２８はシュラウド１０８から下流方向１４６に距離１９２だけ延びる。距離１９２はエッジ１５２から各音響部材１２８の下流エッジ１８０まで測定される。下流エッジ１８０は平面１６４内に位置決めされる。各音響部材１２８は距離１９２だけ延びる。
【００３７】
[0054]プレナム１０４、シュラウド１０８、リブ支持部１１２、リブ１１６、ファン支持部１２０、および音響部材１２８は、すべて射出成型熱可塑性プラスチックから一体的に形成される。
【００３８】
[0055]バレル１４の下流エッジ３２の可変軸延長部が空気流アセンブリ１０により生成されるノイズの特性を改善するのと類似の作用で、音響部材１２８は空気流１００により生成されるノイズの特性を改善する。
【００３９】
[0056] 空気流アセンブリ１００が関連する車両の他の部品（図示せず）は、ギャップ空間１８４内に位置決めされることが防止される。電気ワイヤハーネス、ホース等の部品をギャップ空間１８４内に配置することは、プレナム開口部を通る空気流への音響部材の影響のしかたを変化させ、結果として空気流アセンブリ１００の音響性能を変化させる。さらに、空気流アセンブリ１００の音響性能の変化を防止するために、車両の他の部品は、音響部材に取り付けられることが避けられる。
【００４０】
[0057]図７から図１６は、異なる形状の音響部材１２８およびリブ支持部１１２を備える空気流アセンブリ１００の代替実施形態を示す。以下で説明しない限り、図７−１６に示される空気流アセンブリの実施形態は空気流アセンブリ１００と同様である。さらに、以下で説明する実施形態は、バレル１４の下流エッジ３２の可変軸延長部が空気流アセンブリ１０により発生するノイズの特性を改善するのと同様な作用で様々な空気流アセンブリにより発生するノイズの特性を改善する音響部材を含む。
【００４１】
[0058]図７に示されるように、複数の音響部材２２８は概ね三角形形状である。ギャップ空間２８４ａはリブ支持部２１２ａを音響部材２２８ａから離間させ、ギャップ空間２８４ｂは、音響部材２２８ａを音響部材２２８ｂから離間させ、ギャップ空間２８４ｃは、音響部材２２８ｂをリブ支持部２１２ｂから離間させる。
【００４２】
[0059]音響部材２２８は、シュラウド２０８から下流方向２４６へ距離２９２だけ延びる。距離２９２は、シュラウド２０８のエッジ２５２から測定され、音響部材２２８の端部先端２９６へ延びる。また、リブ支持部２１２は、エッジ２５２から距離２９２だけ延びる。リブ支持部２１２の端部先端２９６およびエッジ２５２は平面２６４内に位置決めされる。
【００４３】
[0060] 空気流装置のノイズ特性を改善するために、音響部材２２８は音響部材１２８と同様に機能する。
[0061]図８に示されるように、音響部材３２８は概ね三角形形状であり、音響部材３２８ｂは円周方向幅３９０ｂを備え、これは音響部材３２８ａ、３２８ｃの円周方向幅３９０ａ、３９０ｃよりも大きい。音響部材３２８ａは三角形部材を画定し、音響部材３２８ｂは三角形部材を画定し、音響部材３２は三角形部材を画定する。音響部材３２８ｂにより画定される三角形部材は、音響部材３２８ａにより画定される三角形部材および音響部材３２８ｃにより画定される三角形部材よりも大きい。
【００４４】
[0062]ギャップ空間３８４ａは、音響部材３２８ａからリブ支持部３１２を離間させ、ギャップ空間３８４ｂは、音響部材３２８ｂから音響部材３２８ａを離間させ、ギャップ空間３８４ｃは音響部材３２８ｃから音響部材３２８ｂを離間させ、ギャップ空間３８４ｄは、リブ支持部３１２ｂから音響部材３２８ｃを離間させる。
【００４５】
[0063]音響部材３２８ａ、３２８ｃは、シュラウド３０８のエッジ３５２から下流方向３４６へ距離３９２ａだけ平面３６４に延びる。リブ支持部３１２は、シュラウド３０８から距離３９２ａだけ延びる。音響部材３２８ｂは、シュラウドから下流方向３４６に距離３９２ｂだけ延び、これは距離３９２ａよりも大きい。
【００４６】
[0064]平面３９５は、音響部材３２８に交差し、平面３９５から下流方向３４６に延びる音響部材の終端部分３９７を画定する。平面３９５は、軸１４０（図４）に交差し、これに垂直である。終端部分３９７ｂは、三角形部材を画定し、これは終端部分３９７ａ、３９７ｃにより画定される三角形部分よりも大きい。
【００４７】
[0065]図９に示されるように、音響部材４２８は概ね矩形である。ギャップ空間４８４ａは音響部材４２８ａからリブ支持部４１２ａを離間させ、ギャップ空間４８４ｂは音響部材４２８ｂから音響部材４２８ａを離間させ、ギャップ空間４８４ｃは、リブ支持部４１２ｂから音響部材４２８ｂを離間させる。
【００４８】
[0066]音響部材４２８はシュラウド４０８のエッジ４５２から下流方向４４６に距離４９２だけ平面４６４へ延びる。各音響部材４２８の下流エッジ４８０は、平面４６４内に位置決めされる。また、リブ支持部４１２はシュラウド４０８から距離４９２だけ延びる。
【００４９】
[0067]図１０に示されるように、音響部材５２８は概ね矩形である。ギャップ空間５８４ａは音響部材５２８ａからリブ支持部５１２ａを離間させ、ギャップ空間５４８ｂは、音響部材５２８ｂから音響部材５２８ａを離間させ、ギャップ空間５８４ｃは、音響部材５２８ｃから音響部材５２８ｂを離間させ、ギャップ空間５８４ｄはリブ支持部５１２ｂから音響部材５２８ｃを離間させる。
【００５０】
[0068]音響部材５２８ａ、５２８ｃはシュラウド５０８のエッジ５５２から下流方向５４６へ距離５９２ａだけ延びる。リブ支持部５１２はエッジ５５２から下流方向５４６に距離５９２ｂだけ延び、これは距離５９２ａより大きい。音響部材５２８ｂは、エッジ５５２から下流方向５４６に距離５９２ｃだけ延び、これは距離５９２ａおよび距離５９２ｂよりも大きい。
【００５１】
[0069]音響部材５２８はそれぞれ下流エッジ５８０を画定する。下流エッジ５８０は平面５６４から離間される。リブ支持部５１２はそれぞれ、平面５６４内に位置決めされる下流エッジ５５８を画定する。
【００５２】
[0070]平面５９５は音響部材５２８に交差し、音響部材の平面５９５から下流方向５４６に延びる終端部分５９７を画定する。終端部分５９７ｂは、終端部分５９７ａ、５９７ｃにより画定される矩形部分よりも大きい矩形部分を画定する。
【００５３】
[0071]図１１に示されるように、音響部材６２８は概ね丸みのある矩形である。ギャップ空間６８４ａはリブ支持部６１２ａを音響部材６２８ａから離間させ、ギャップ空間６８４ｂは音響部材６２８ａを音響部材６２８ｂから離間させ、ギャップ空間６８４ｃは音響部材６２８ｂをリブ支持部６１２ｂから離間させる。音響部材６２８はシュラウド６０８から下流方向６４６は距離６９２だけ延びる。
【００５４】
[0072]図１２に示されるように、音響部材７２８シュラウド７０８から延び、リブ支持部７１２と一体的に形成される。垂直線７９９はリブ支持部７１２と音響部材７２８との間の境界を画定する。音響部材７０８は線形下流エッジ７８０を含み、これはシュラウド７２８の下流エッジ７５２および各リブ支持部７１２の下流エッジ７５８から離間される。したがって、下流エッジ７８０は、シュラウド７０８の下流エッジ７５２および各リブ支持部７１２の下流エッジ７５８よりもさらに下流方向７４６に延びる。
【００５５】
[0073]図１３に示されるように、音響部材８２８はシュラウド８０８のエッジ８５２から延び、リブ支持部８１２と一体的に形成される。垂直線８９９はリブ支持部８１２と音響部材８２８との間の境界を画定する。音響部材８０８は非線形（湾曲）下流エッジ８８０を含み、これはシュラウド８２８の下流エッジ８５２および各リブ支持部８１２の下流エッジ８５８から離間される。したがって、下流エッジ８８０は、シュラウド８０８の下流エッジ８５２および各リブ支持部８１２の下流エッジ８５２よりもさらに下流方向８４６に延びる。
【００５６】
[0074]図１４に示されるように、音響部材９２８はシュラウド９０８のエッジ９５２から延び、リブ支持部９１２と一体的に形成される。垂直線９９９は、リブ支持部９１２と音響部材９２８との間の境界を画定する。音響部材９０８は非線形の下流エッジ９８０を含み、シュラウド９２８の下流エッジ９５２および各リブ支持部９１２の下流エッジ９５８から離間される。したがって、下流エッジ９８０は、下流エッジ９５２および下流エッジ９５８よりもさらに下流方向９４６に延びる。
【００５７】
[0075]図１５に示されるように、音響部材１０２８はシュラウド１００８のエッジ１０５２から延び、リブ支持部１０１２と一体的に形成される。垂直線１０９９は、リブ支持部１０１２と音響部材１０２８との間の境界を画定する。音響部材１００８は、ノコギリ歯状のエッジ１０８０を含み、これはシュラウド１０２８の下流エッジ１０５２から離間される。下流エッジ１０８０は多数のギャップ空間１０８５を画定する。
【００５８】
[0076]図１６に示されるように、音響部材１１２８はシュラウド１１０８のエッジ１１５２から延び、リブ支持部１１１２と一体的に形成される。垂直線１１９９は、リブ支持部１１１２と音響部材１１２８との間の境界を画定する。音響部材１１０８は、ノコギリ歯状の下流エッジ１１８０を含み、これはシュラウド１１２８の下流エッジ１１５２から離間される。下流エッジ１１８０は多数のギャップ空間１１８５を画定する。
【００５９】
[0077]図１７は、空気流アセンブリ１００´の他の実施形態を示し、ファンアセンブリ１２４´は、図４に示されるようなファン支持部１２０´から上流方向１６６´へではなく、ファン支持部１２０´から下流方向１４６´へ延びる。したがって、ファン支持部１２０´の向きは反対であり、円筒形部材１６０´はカバー（図１７には示されず、図４において符号１６２で示される）の下流側から延びる。ファンアセンブリ１２４´の向きにより、ブレードアセンブリ１６８´（これは軸１４４´を中心に回転する）は、音響部材１２８´のより近くでリブ１１６´の下流側に位置決めされる。上述した相違点以外は、空気流アセンブリ１００´は、空気流アセンブリ１００と同様の部品を含み、同様に動作する。
【００６０】
[0078]本明細書において詳細に図示および説明がされてきたが、これらは例示的なものであり、限定的なものではないことを理解されたい。好ましい実施形態が示され、本開示の趣旨に含まれる変更、修正、さらなる応用は保護されるべきものと理解されたい。
【図１】
2014515457.tif 000003
【図２】
2014515457.tif 000004
【図３】
2014515457.tif 000005
【図４】
2014515457.tif 000006
【図５】
2014515457.tif 000007
【図６】
2014515457.tif 000008
【図７】
2014515457.tif 000009
【図８】
2014515457.tif 000010
【図９】
2014515457.tif 000011
【図１０】
2014515457.tif 000012
【図１１】
2014515457.tif 000013
【図１２】
2014515457.tif 000014
【図１３】
2014515457.tif 000015
【図１４】
2014515457.tif 000016
【図１５】
2014515457.tif 000017
【図１６】
2014515457.tif 000018
【図１７】
2014515457.tif 000019
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
空気流アセンブリであって、
プレナム開口部を画定する開口構造を含むプレナムと、
前記開口構造から延び且つシュラウド空間を画定するシュラウドと、
前記シュラウド空間内に少なくとも部分的に位置決めされるファン支持部と、
前記ファン支持部により支持されるファンアセンブリと、
複数のリブと、を有し、前記リブお各々は、前記リブの対応する１つと前記ファン支持部との間を延び、
前記空気流アセンブリはさらに、前記シュラウドから延びる少なくとも１つの音響部材を含み、前記音響部材は、（ｉ）対応する円周方向に隣接する前記リブ支持部のペアの間に挟まれ、（ｉｉ）前記対応する円周方向に隣接する前記リブ支持部のペアから離間される、空気流アセンブリ。
【請求項２】
請求項１に記載の空気流アセンブリであって、
前記複数のリブ支持部は、第１リブ支持部および第２リブ支持部を含み、これらは互いに離間され、
前記音響部材は、前記第１リブ支持部と前記第２リブ支持部との間に挟まれ、
前記第１リブ支持部および前記第２リブ支持部の各々は、前記シュラウドから第１距離だけ延び、
前記音響部材は前記シュラウドから第２距離だけ延び、
前記第１距離は前記第２距離よりも小さい、
空気流アセンブリ。
【請求項３】
請求項１に記載の空気流アセンブリであって、前記音響部材は第１音響部材であり、さらに、
前記シュラウドから延びる第２音響部材を含み、前記第２音響部材は、（ｉ）対応する円周方向に隣接する前記リブ支持部のペアの間に円周方向に挟まれ、（ｉｉ）前記対応する円周方向に隣接する前記リブ支持部のペアから離間される、
空気流アセンブリ。
【請求項４】
請求項３に記載の空気流アセンブリであって、前記第１音響部材は、前記第２音響部材から離間されてそれらの間にギャップ空間を画定する、空気流アセンブリ。
【請求項５】
請求項３に記載の空気流アセンブリであって、
前記第１音響部材は前記シュラウドから第１距離だけ延び、
前記第２音響部材は前記シュラウドから第２距離だけ延び、
前記第１距離は前記第２距離よりも大きく、
前記複数のリブ支持部は第１リブ支持部を含み、
前記第１リブ支持部は前記シュラウドから第３距離だけ延び、
前記第１距離は前記第３距離より大きく、
前記第２距離は前記第３距離より小さい、
空気流アセンブリ。
【請求項６】
請求項３に記載の空気流アセンブリであって、
前記第１音響部材は第１矩形部材を画定するように構成され、
前記第２音響部材は第２矩形部材を画定するように構成され、
前記第１矩形部材は前記第２矩形部材よりも大きい、
空気流アセンブリ。
【請求項７】
請求項３に記載の空気流アセンブリであって、
前記第１音響部材は第１三角形部材を画定するように構成され、
前記第２音響部材は第２三角形部材を画定するように構成され、
前記第１三角形部材は前記第２三角形部材よりも大きい、
空気流アセンブリ。
【請求項８】
請求項１に記載の空気流アセンブリであって、
前記複数のリブは第１リブを含み、
前記第１リブは円周方向幅を画定し、
前記音響部材は前記第１リブからギャップ空間だけ離間され、
前記ギャップ空間は、前記円周方向幅にほぼ等しい、
空気流アセンブリ。
【請求項９】
請求項１に記載の空気流アセンブリであって、前記音響部材は第１音響部材を含み、
前記空気流アセンブリはさらに、前記シュラウドから延びる第２音響部材を含み、前記第２音響部材は、（ｉ）前記対応する円周方向に隣接する前記リブ支持部のペアの間に円周方向に挟まれ、（ｉｉ）前記対応する円周方向に隣接する前記リブ支持部のペアの各々から離間され、
前記空気流アセンブリはさらに、前記シュラウドから延びる第３音響部材を含み、前記第３音響部材は、（ｉ）前記対応する円周方向に隣接する前記リブ支持部のペアの間に挟まれ、（ｉｉ）前記対応する円周方向に隣接する前記リブ支持部のペアの各々から離間され、
前記第２音響部材は、前記第１音響部材から離間され、それらの間に第１ギャップ空間を画定し、
前記第２音響部材は、前記第３音響部材から離間され、それらの間に第２ギャップ空間を画定する、
空気流アセンブリ。
【手続補正２】
【補正対象書類名】明細書
【補正対象項目名】００６０
【補正方法】変更
【補正の内容】
【００６０】
[0078]本明細書において詳細に図示および説明がされてきたが、これらは例示的なもの
であり、限定的なものではないことを理解されたい。好ましい実施形態が示され、本開示
の趣旨に含まれる変更、修正、さらなる応用は保護されるべきものと理解されたい。
以下に本明細書が開示する形態のいくつかを記載しておく。
[形態１]
空気流アセンブリであって、
プレナム開口部を画定する開口構造を含むプレナムと、
前記開口構造から下流方向に延び、バレル空間および下流エッジを画定するバレルと、
前記バレル空間内に少なくとも部分的に位置決めされるファン支持部と、
前記ファン支持部により支持され、モーターおよび軸を中心に回転するように構成されるブレードアセンブリを含むファンアセンブリと、
複数のリブと、を有し、前記リブの各々は、（ｉ）前記開口構造または前記バレルと、（ｉｉ）前記ファン支持部と、の間で延び、
前記下流方向は前記軸に平行であり、
上流方向は前記下流方向の反対側で且つ前記軸に平行であり、
平面が前記軸に交差し且つ前記軸に垂直であり、
前記下流方向のエッジは、可変軸方向延長部であり、前記バレルは第１エッジ部を画定する第１延長部および第２エッジ部を画定する第２延長部を含み、
前記第１エッジ部は、前記平面から前記下流方向に離間され、
前記第２エッジ部は、前記平面から前記上流方向に離間され、
前記複数のリブの各リブは、（ｉ）第１方位長さを画定し、（ｉｉ）前記開口構造または前記バレルから前記バレルの対応する交差領域に延び、
前記交差領域の各々は第２方位長さを画定し、
Ｙが前記第１方位長さに等しく、
Ｘが前記第２方位長さに等しく、
ここでＹ≦Ｘ≦２．５Ｙであり、
前記第１延長部は、第１交差領域と第２交差領域との間を延び、
前記第２延長部は、前記第２交差領域と第３交差領域との間を延び、
前記空気流アセンブリは、フード下の部品に関連付けられるように構成され、
前記第１延長部および前記第２延長部の少なくとも一方は、（ｉ）前記フード下の部品の取付構造または案内構造として機能せず、および／または（ｉｉ）前記プレナムと前記バレルとの間を延びる補強リブのエッジを収容しない、
空気流アセンブリ。
[形態２]
形態１に記載の空気流アセンブリであって、
前記ブレードアセンブリは複数のファンブレードを含み、
各ファンブレードは、先端長さを画定する端部エッジを含み、
前記先端長さはＴに等しく、
前記第１延長部および前記第２延長部は第３方位長さを画定し、
前記第３方位長さはＺに等しく、
ここで０．２５Ｔ≦Ｚ≦６．０Ｔである、
空気流アセンブリ。
[形態３]
形態２に記載の空気流アセンブリであって、
前記第２エッジ部は前記第１エッジ部から前記下流方向に平行に測定した距離だけ離間され、
前記ブレードアセンブリは円筒形を画定するような運動経路で回転し、
前記円筒形は直径を画定し、
βが前記距離と前記直径との比であり、
ここで０．０１５＜β＜０．３００である、
空気流アセンブリ。
[形態４]
空気流アセンブリであって、
プレナム開口部を画定する開口構造を含むプレナムと、
前記開口構造から延び且つシュラウド空間を画定するシュラウドと、
前記シュラウド空間内に少なくとも部分的に位置決めされるファン支持部と、
前記ファン支持部により支持されるファンアセンブリと、
複数のリブと、を有し、前記リブお各々は、前記リブの対応する１つと前記ファン支持部との間を延び、
前記空気流アセンブリはさらに、前記シュラウドから延びる少なくとも１つの音響部材を含み、前記音響部材は、（ｉ）対応する円周方向に隣接する前記リブ支持部のペアの間に挟まれ、（ｉｉ）前記対応する円周方向に隣接する前記リブ支持部のペアから離間される、空気流アセンブリ。
[形態５]
形態４に記載の空気流アセンブリであって、
前記複数のリブ支持部は、第１リブ支持部および第２リブ支持部を含み、これらは互いに離間され、
前記音響部材は、前記第１リブ支持部と前記第２リブ支持部との間に挟まれ、
前記第１リブ支持部および前記第２リブ支持部の各々は、前記シュラウドから第１距離だけ延び、
前記音響部材は前記シュラウドから第２距離だけ延び、
前記第１距離は前記第２距離よりも小さい、
空気流アセンブリ。
[形態６]
形態４に記載の空気流アセンブリであって、前記音響部材は第１音響部材であり、さらに、
前記シュラウドから延びる第２音響部材を含み、前記第２音響部材は、（ｉ）対応する円周方向に隣接する前記リブ支持部のペアの間に円周方向に挟まれ、（ｉｉ）前記対応する円周方向に隣接する前記リブ支持部のペアから離間される、
空気流アセンブリ。
[形態７]
形態６に記載の空気流アセンブリであって、前記第１音響部材は、前記第２音響部材から離間されてそれらの間にギャップ空間を画定する、空気流アセンブリ。
[形態８]
形態６に記載の空気流アセンブリであって、
前記第１音響部材は前記シュラウドから第１距離だけ延び、
前記第２音響部材は前記シュラウドから第２距離だけ延び、
前記第１距離は前記第２距離よりも大きく、
前記複数のリブ支持部は第１リブ支持部を含み、
前記第１リブ支持部は前記シュラウドから第３距離だけ延び、
前記第１距離は前記第３距離より大きく、
前記第２距離は前記第３距離より小さい、
空気流アセンブリ。
[形態９]
形態６に記載の空気流アセンブリであって、
前記第１音響部材は第１矩形部材を画定するように構成され、
前記第２音響部材は第２矩形部材を画定するように構成され、
前記第１矩形部材は前記第２矩形部材よりも大きい、
空気流アセンブリ。
[形態１０]
形態６に記載の空気流アセンブリであって、
前記第１音響部材は第１三角形部材を画定するように構成され、
前記第２音響部材は第２三角形部材を画定するように構成され、
前記第１三角形部材は前記第２三角形部材よりも大きい、
空気流アセンブリ。
[形態１１]
形態４に記載の空気流アセンブリであって、
前記複数のリブは第１リブを含み、
前記第１リブは円周方向幅を画定し、
前記音響部材は前記第１リブからギャップ空間だけ離間され、
前記ギャップ空間は、前記円周方向幅にほぼ等しい、
空気流アセンブリ。
[形態１２]
形態４に記載の空気流アセンブリであって、前記音響部材は第１音響部材を含み、
前記空気流アセンブリはさらに、前記シュラウドから延びる第２音響部材を含み、前記第２音響部材は、（ｉ）前記対応する円周方向に隣接する前記リブ支持部のペアの間に円周方向に挟まれ、（ｉｉ）前記対応する円周方向に隣接する前記リブ支持部のペアの各々から離間され、
前記空気流アセンブリはさらに、前記シュラウドから延びる第３音響部材を含み、前記第３音響部材は、（ｉ）前記対応する円周方向に隣接する前記リブ支持部のペアの間に挟まれ、（ｉｉ）前記対応する円周方向に隣接する前記リブ支持部のペアの各々から離間され、
前記第２音響部材は、前記第１音響部材から離間され、それらの間に第１ギャップ空間を画定し、
前記第２音響部材は、前記第３音響部材から離間され、それらの間に第２ギャップ空間を画定する、
空気流アセンブリ。
[形態１３]
空気流アセンブリであって、
プレナム開口部を画定する開口構造を含むプレナムと、
前記開口構造から延びシュラウド空間を画定するシュラウドと、
前記シュラウド空間内に少なくとも部分的に位置決めされるファン支持部と、
前記ファン支持部により支持され、軸を中心に回転するように構成されるブレードアセンブリを含むファンアセンブリと、
前記シュラウドから延びる複数のリブ支持部と、
複数のリブと、を含み、前記リブの各々は前記リブ支持部の対応する１つと前記ファン支持部との間を延び、
前記空気流アセンブリはさらに、前記シュラウドから延びる少なくとも１つの音響部材を含み、
平面が前記軸に交差し且つ前記軸に垂直であり、
前記リブ支持部の各々は、前記平面内に位置決めされる第１エッジを含み、
前記音響部材は第２エッジを含み、
前記第２エッジの少なくとも一部は、前記平面から離間される、
空気流アセンブリ。
[形態１４]
形態１３に記載の空気流アセンブリであって、前記音響部材は第１音響部材を含み、
さらに、前記シュラウドから延びる第２音響部材を含む、空気流アセンブリ。
[形態１５]
形態１４に記載の空気流アセンブリであって、前記第１音響部材は前記第２音響部材から離間され、それらの間にギャップを画定する、空気流アセンブリ。
[形態１６]
形態１４に記載の空気流アセンブリであって、
前記第１音響部材は、前記シュラウドから第１距離だけ延び、
前記第２音響部材は、前記シュラウドから第２距離だけ延び、
前記第１距離は前記第２距離よりも大きい、
空気流アセンブリ。
[形態１７]
形態１４に記載の空気流アセンブリであって、
前記複数のリブ支持部は第１リブ支持部を含み、
前記第１リブ支持部は前記シュラウドから第３距離だけ延び、
前記第１距離は前記第３距離よりも大きく、
前記第２距離は前記第３距離よりも小さい、
空気流アセンブリ。
[形態１８]
形態１４に記載の空気流アセンブリであって、
前記第１音響部材は、第１三角形部材を画定するように構成され、
前記第２音響部材は、第２三角形部材を画定するように構成され、
前記第１三角形部材は前記第２三角形部材よりも大きい、
空気流アセンブリ。
【国際調査報告】
2014515457.tif 000020
2014515457.tif 000021